【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
コンピュータ実装調査に参加する聴衆に対して決定された態度値、および聴衆に対するウェブサイト訪問情報および人口統計情報に基づいて、聴衆コンピュータに接続されたディスプレー上で見るためのコンテンツを送信する方法であって、前記方法は、
中央データベースにおいて、参加聴衆コンピュータからコンピュータネットワークを介して送信された調査回答情報を受信するステップと、
中央データベースにおいて、参加聴衆コンピュータに対するウェブサイト訪問情報を受信するステップと、
中央データベースにおいて、（ｉ）参加聴衆、および（ｉｉ）調査回答情報が受信されない非参加聴衆に関連づけられる人口統計情報を受信するステップと、
調査回答情報、ウェブサイト訪問情報および人口統計情報の１つ以上に基づいて、非聴衆コンピュータを使用する各参加聴衆に対する態度値を決定するステップと、
ウェブサイト訪問情報および非聴衆コンピュータを使用する態度値から、ウェブサイトに対する品質訪問指数（ＱＶＩ）値を決定するステップと、
ウェブサイトに対するＱＶＩ値に基づいて、ウェブサイトにコンテンツを提供するステップと、
前記参加または非参加聴衆コンピュータがウェブサイトにアクセスする結果、前記参加または非参加聴衆コンピュータの一方へコンピュータネットワークを介してコンテンツを送信するステップと、
を含む方法。
【請求項２】
請求項１記載の方法であって、前記ＱＶＩ値はターゲットグループリーチ指数、反対グループリーチ指数、Ｎｅｔ  Ｓｕｐｐｏｒｔ  Ｓｃｏｒｅ、ユニークビジター当りの分指数、ユニークビジター当りのページ指数、ａｄクラッタ指数、過去の性能指数、ページ当りの分指数、およびページ当りのａｄｓ指数からなるグループから選択される値に基づいている方法。
【請求項３】
請求項１記載の方法であって、前記ＱＶＩ値は（ｉ）選択された期間内に前記ウェブサイトを訪問した選択された態度値に関連づけられた参加聴衆コンピュータのパーセンテージ、および（ｉｉ）前記選択された期間内に前記ウェブサイトを訪問した参加聴衆コンピュータのパーセンテージ、のコンピュータ実装比較から少なくとも部分的に決定される方法。
【請求項４】
請求項３記載の方法であって、選択された期間内に前記ウェブサイトを訪問した選択された態度値に関連づけられた参加聴衆コンピュータの前記パーセンテージは、（ｉ）前記選択された期間内に前記ウェブサイトを訪問した前記選択された態度値に関連づけられた参加聴衆コンピュータ数、および（ｉｉ）前記選択された態度値に関連づけられる参加聴衆コンピュータ数、のコンピュータ実装比較に基づいて決定される方法。
【請求項５】
請求項１記載の方法であって、さらに、前記中央データベース内で前記態度値、前記調査回答情報、前記ウェブサイト訪問情報および前記人口統計情報を各参加聴衆に対する匿名識別子と関連付けるステップを含む方法。
【請求項６】
請求項１記載の方法であって、ＱＶＩ値を決定する前記ステップは、前記参加聴衆コンピュータおよび前記非参加聴衆に関連づけられた人口統計情報に基づく因子により、前記参加聴衆コンピュータに対する前記ウェブサイト訪問情報を重みづけするステップを含む方法。
【請求項７】
請求項１記載の方法であって、ＱＶＩ値を決定する前記ステップは、ウェブサイト訪問情報が受信される前記期間に基づく因子により、前記参加聴衆コンピュータに対する前記ウェブサイト訪問情報を重みづけする前記ステップを含む方法。
【請求項８】
請求項１記載の方法であって、前記ＱＶＩ値の決定は、
前記参加聴衆コンピュータに関連づけられた前記態度値に基づいて、前記ウェブサイトに対するネットサポートスコアを決定するステップと、
前記ウェブサイトに対する前記ネットサポートスコアを、他のウェブサイトに対する前記ネットサポートスコアに対してランク付けするステップと、
を含む方法。
【請求項９】
請求項１記載の方法であって、前記態度値は姿勢情報、エンゲージメントレベル情報、問題に対する支持レベル情報、投票履歴情報、メディア消費情報、および支持政党情報からなるグループから選択される情報、から決定される方法。
【請求項１０】
ウェブサイト上でディスプレーするコンテンツを決定する方法であって、前記方法は、
参加聴衆コンピュータからコンピュータネットワークを介して送信された調査回答情報を、中央データベースにおいて受信するステップと、
前記参加聴衆コンピュータに対するウェブサイト訪問情報を、前記中央データベースにおいて受信するステップと、
前記（ｉ）参加聴衆、および（ｉｉ）調査回答情報が受信されない非参加聴衆、に関連づけられる人口統計情報を前記中央データベースにおいて受信するステップと、
前記参加聴衆の各々に対する態度値を決定するステップと、
前記ウェブサイト訪問情報および態度値から、ウェブサイトに対する品質訪問指数（ＱＶＩ）値を決定するステップと、
前記ウェブサイトに対する前記ＱＶＩ値に基づいて、前記ウェブサイトへコンテンツを提供するステップと、
を含む方法。
【請求項１１】
請求項１０記載の方法であって、前記ＱＶＩ値はターゲットグループリーチ指数、反対グループリーチ指数、Ｎｅｔ  Ｓｕｐｐｏｒｔ  Ｓｃｏｒｅ、ユニークビジター当りの分指数、ユニークビジター当りのページ指数、ａｄクラッタ指数、過去の性能指数、ページ当りの分指数、およびページ当りのａｄｓ指数からなるグループから選択される値に基づいている方法。
【請求項１２】
請求項１０記載の方法であって、前記ＱＶＩ値は（ｉ）選択された期間内に前記ウェブサイトを訪問した選択された態度値に関連づけられた参加聴衆コンピュータのパーセンテージ、および（ｉｉ）前記選択された期間内に前記ウェブサイトを訪問した参加聴衆コンピュータのパーセンテージ、のコンピュータ実装比較から少なくとも部分的に決定される方法。
【請求項１３】
請求項１２記載の方法であって、選択された期間内に前記ウェブサイトを訪問した選択された態度値に関連づけられた参加聴衆コンピュータの前記パーセンテージは、（ｉ）前記選択された期間内に前記ウェブサイトを訪問した前記選択された態度値に関連づけられた参加聴衆コンピュータ数、および（ｉｉ）前記選択された態度値に関連づけられる参加聴衆コンピュータ数、のコンピュータ実装比較に基づいて決定される方法。
【請求項１４】
請求項１０記載の方法であって、さらに、前記中央データベース内で前記態度値、前記調査回答情報、前記ウェブサイト訪問情報および前記人口統計情報を各参加聴衆に対する匿名識別子と関連付けるステップを含む方法。
【請求項１５】
請求項１０記載の方法であって、ＱＶＩ値を決定する前記ステップは、前記参加聴衆コンピュータおよび前記非参加聴衆に関連づけられた人口統計情報に基づく因子により、前記参加聴衆コンピュータに対する前記ウェブサイト訪問情報を重みづけするステップを含む方法。
【請求項１６】
請求項１０記載の方法であって、ＱＶＩ値を決定する前記ステップは、ウェブサイト訪問情報が受信される前記期間に基づく因子により、前記参加聴衆コンピュータに対する前記ウェブサイト訪問情報を重みづけするステップを含む方法。
【請求項１７】
請求項１０記載の方法であって、前記ＱＶＩ値の決定は、
前記参加聴衆コンピュータに関連づけられた前記態度値に基づいて、前記ウェブサイトに対するネットサポートスコアを決定するステップと、
前記ウェブサイトに対する前記ネットサポートスコアを、他のウェブサイトに対する前記ネットサポートスコアに対してランク付けするステップと、
を含む方法。